(57)【要約】【課題】ユニット式建物において、本屋根の長さ（棟から軒までの長さ）を容易に長くすることができるユニット式建物の屋根構造を提供する。【解決手段】ユニット式建物１の本屋根５の先端部から、延出屋根６が前記本屋根５の傾斜方向に沿って延出するようにして設けられており、この延出屋根５の軒先部は、前記ユニット式建物１の前記本屋根５より外側に位置する構造体Kによって支持されている。したがって、多種類の台形ユニットや屋根ユニットを用意することなく、延出屋根６の長さを調整することによって、本屋根５の長さ（棟から軒までの長さ）を容易に長くすることができる。【選択図】図２
2005307630.tif 000002
【特許請求の範囲】
【請求項１】
複数の建物ユニットを備えたユニット式建物の屋根構造であって、
前記ユニット式建物の本屋根の先端部から、延出屋根が前記本屋根の傾斜方向に沿って延出するようにして設けられており、
この延出屋根の軒先部は、前記ユニット式建物の前記本屋根より外側に位置する構造体によって支持されていることを特徴とするユニット式建物の屋根構造。
【請求項２】
請求項１に記載のユニット式建物の屋根構造において、
前記延出屋根の軒先部は、前記構造体の上端部に設けられた支持部によって支持されていることを特徴とするユニット式建物の屋根構造。
【請求項３】
請求項２に記載のユニット式建物の屋根構造において、
前記支持部は、構造体の上端部に前記延出屋根の軒方向に沿って所定間隔で立設された束部材によって構成されており、これら束部材によって前記延出屋根の軒先部が支持されていることを特徴とするユニット式建物の屋根構造。
【請求項４】
請求項１〜３のいずれか一項に記載のユニット式建物の屋根構造において
前記本屋根の先端部の下方に位置する建物ユニットと、前記構造体とは、前記延出屋根と同方向に傾斜する傾斜フレームによって連結されており、
この傾斜フレームの端部には水平板と垂直板とを備えた連結板が設けられており、この連結板はその水平板と垂直板とをそれぞれ前記本屋根の先端部の下方に位置する建物ユニットの上面と側面に当接したうえで、この建物ユニットに連結されていることを特徴とするユニット式建物の屋根構造。
【請求項５】
請求項１〜４のいずれか一項に記載のユニット式建物の屋根構造において、
前記構造体は、少なくとも一以上の建物ユニットで構成されていることを特徴とするユニット式建物の屋根構造。
【発明の詳細な説明】
【技術分野】
【０００１】
本発明は、ユニット式建物の屋根構造に関する。
【背景技術】
【０００２】
従来より、予め工場で製造した箱状の建物ユニットをトラック等により輸送して建築現場で組み合わせることにより形成されるユニット式建物が利用されている。このようなユニット式建物によれば、予め内装材、床材、その他の設備部材が建物ユニット内に組み込まれた状態で工場から出荷されるので、建築現場における作業が大幅に軽減され、短期間で建築できるという利点がある。
【０００３】
このようなユニット式建物に傾斜した屋根面を形成する場合、例えば、特許文献１に記載されているように、上面の少なくとも一辺に沿った傾斜面を備え、角部が欠落した台形ユニットを建物本体上に設置し、この台形ユニットの傾斜面に沿って屋根面材を敷設する場合がある。このようにすると、台形ユニットの傾斜面を斜線制限の斜線に沿って配置することができるので、建物全体を斜線制限内に納めることができる。
【特許文献１】特開平１０−１９５９８５号公報
【発明の開示】
【発明が解決しようとする課題】
【０００４】
ところで、上記のようなユニット式建物において、本屋根の棟から軒までの長さを長くするには、例えば、長くした分の傾斜面を備えた台形ユニットや長くした分の傾斜面を備えた屋根ユニットを用意する必要がある。本屋根の棟から軒までの長さは、敷地条件や施主の好み等によって変るため、これに対応するために、多種類の台形ユニットや屋根ユニットを用意するのは容易ではなかった。
【０００５】
本発明は、上記事情に鑑みてなされたものであり、ユニット式建物において、本屋根の長さ（棟から軒までの長さ）を容易に長くすることができるユニット式建物の屋根構造を提供することを課題としている。
【課題を解決するための手段】
【０００６】
上記課題を解決するために、請求項１に記載の発明は、例えば図１〜図５に示すように、複数の建物ユニット２を備えたユニット式建物の屋根構造であって、
前記ユニット式建物１の本屋根５の先端部から、延出屋根６が前記本屋根５の傾斜方向に沿って延出するようにして設けられており、
この延出屋根５の軒先部は、前記ユニット式建物１の前記本屋根５より外側に位置する構造体Kによって支持されていることを特徴とする。
【０００７】
ここで、前記構造体Kとしては、例えば、工場等で予め複数の柱と複数の梁とを略直方体状の組立ててなる建物ユニット２が挙げられるが、これに限ることなく、現場で軸組みを行って構造体Kを形成してもよい。
この場合、軸組みに用いる柱や梁は前記建物ユニット２の柱や梁等を構成する鉄骨と同様の鉄骨が望ましいが、木製の柱や梁、さらには鉄骨と木との複合型の軸組みによる構造体でもよい。
また、前記延出屋根６は、例えば、鋼製のフレームを矩形状に組立ててなる枠の上面に屋根材を取り付けてなる屋根パネルによって構成するのが望ましいが、これに限ることなく、現場で軸組みによって屋根を形成することによって構成してもよい。
【０００８】
請求項１に記載の発明によれば、ユニット式建物１の本屋根５の先端部から、該本屋根５の傾斜方向に沿って延出するようにして設けられた延出屋根６の軒先部が、ユニット式建物１の本屋根５より外側に位置する構造体Kによって支持されているので、多種類の台形ユニットや屋根ユニットを用意することなく、延出屋根６の長さを調整することによって、本屋根５の長さ（棟から軒までの長さ）を容易に長くすることができる。
【０００９】
請求項２に記載の発明は、請求項１に記載のユニット式建物の屋根構造において、
前記延出屋根６の軒先部は、前記構造体Kの上端部に設けられた支持部１６によって支持されていることを特徴とする。
【００１０】
ここで、前記支持部１６は、例えば、構造体Kの上端部に立設された複数の束部材１７によって構成するのが望ましいが、これに限ることなく、構造体Kの上端部に立設された板状部材や、矩形状の枠によって構成してもよい。
【００１１】
請求項２に記載の発明によれば、延出屋根６の軒先部が構造体Kの上端部に設けられた支持部１６によって支持されているので、この支持部１６の高さを調整することによって、構造体K自体を変更することなく、延出屋根６を前記本屋根５の先端部からこの本屋根５の傾斜方向に沿って延出できる。
【００１２】
請求項３に記載の発明は、請求項２に記載のユニット式建物の屋根構造において、
前記支持部１６は、構造体Kの上端部に前記延出屋根６の軒方向に沿って所定間隔で立設された束部材１７によって構成されており、これら束部材１７によって前記延出屋根６の軒先部が支持されていることを特徴とする。
【００１３】
ここで、前記複数の束部材１７は、構造体Kの上端部に現場で直接立設してもよいが、例えば、構造体Kの上端部に設置可能なフレーム（例えば小屋パネル１５）上に、複数の束部材１７を工場等で予め立設しておき、これら束部材１７が立設されたフレームを構造体Kの上端部に設置することによって、構造体Kの上端部にフレームを介して束部材１７立設してもよい。
【００１４】
請求項３に記載の発明によれば、支持部１６を構成する複数の束部材１７によって延出屋６根の軒先部を安定的に支持できる。また、束部材１７の本数を調整することによって、延出屋根６の軒先部の、棟部と平行な方向の長さに容易に対応して、該軒先部を安定的に支持できる。
【００１５】
請求項４に記載の発明は、請求項１〜３のいずれか一項に記載のユニット式建物の屋根構造において
前記本屋根５の先端部の下方に位置する建物ユニット２と、前記構造体Kとは、前記延出屋根６と同方向に傾斜する傾斜フレーム２１によって連結されており、
この傾斜フレーム２１の端部には水平板２２aと垂直板２２ｂとを備えた連結板２２が設けられており、この連結板２２はその水平板２２aと垂直板２２ｂとをそれぞれ前記本屋根５の先端部の下方に位置する建物ユニット２の上面と側面に当接したうえで、この建物ユニット２に連結されていることを特徴とする。
【００１６】
前記傾斜フレーム２１は、本屋根５の棟方向における両端部において、建物ユニット２と構造体Kとを連結するのが望ましい。これに加えて、傾斜フレーム２１を、本屋根５の棟方向における両端部間である中間部において建物ユニット２と構造体Kとを連結するようにしてもよい。
【００１７】
請求項４に記載の発明によれば、延出屋根６と同方向に傾斜する傾斜フレーム２１によって本屋根５の先端部の下方に位置する建物ユニット２と構造体Kとが連結されているので、延出屋根６を本屋根５の先端部に容易かつ確実に接合して、本屋根５との一体化を容易に行える。
また、傾斜フレーム２１の端部に設けられた連結板２２は、その水平板２２aと垂直板２２ｂとをそれぞれ本屋根５の先端部の下方に位置する建物ユニット２の上面と側面に当接したうえで、この建物ユニット２に連結されているので、傾斜フレーム２１の端部を容易かつ確実に前記建物ユニット２に連結できる。
【００１８】
請求項５に記載の発明は、請求項１〜４のいずれか一項に記載のユニット式建物の屋根構造において、
前記構造体Kは、少なくとも一以上の建物ユニット２で構成されていることを特徴とする。
【００１９】
請求項５に記載の発明によれば、延出屋根６の軒先部を支持する構造体Kが、少なくとも一以上の建物ユニット２で構成されているので、建物ユニット２を現場で設置することによって構造体Kを現場で容易に形成できる。
【発明の効果】
【００２０】
本発明によれば、ユニット式建物の本屋根の先端部から、延出屋根が本屋根の傾斜方向に沿って延出するようにして設けられており、この延出屋根の軒先部が、ユニット式建物の本屋根より外側に位置する構造体によって支持されているので、多種類の台形ユニットや屋根ユニットを用意することなく、延出屋根の長さを調整することによって、本屋根の長さ（棟から軒までの長さ）を容易に長くすることができる。
【発明を実施するための最良の形態】
【００２１】
以下、図面を参照して本発明に係るユニット式建物の屋根構造の実施の形態について説明する。
図１は、本発明に係る屋根構造を備えたユニット式建物の概略構成を示す図である。この図に示すように、ユニット式建物１は、複数の建物ユニット２を現場で基礎に設置するとともに、上方に積み重ねて建物本体３を構築し、この建物本体３の上部に屋根ユニット４，４を設置し、さらに、一方の屋根ユニット４の上面に設けられた本屋根５から延出する延出屋根６を備えた構成となっている。
【００２２】
本実施の形態の屋根構造は、前記本屋根５の先端部から、延出屋根６が本屋根５の傾斜方向に沿って延出するようにして設けられ、さらに、この延出屋根６の軒先部が、ユニット式建物１の本屋根５より外側に位置する構造体Ｋによって支持されてなるものである。
この屋根構造について図２〜図５を参照して説明する。
図２および図３に示すように、２階を構成する建物ユニット２の上面には、屋根ユニット４が設置されており、この屋根ユニット４の上面に設けられた本屋根５の先端部には断面Ｌ字状の連結プレート７が取り付けられており、この連結プレート７に延出屋根６の基端部が取り付けられている。つまり、延出屋根６は連結プレート７を介して本屋根５の先端部に連結されている。
なお、延出屋根６は、鉄骨のフレームを矩形枠状に組み立てて枠体を形成するとともに、この枠体内に補強桟材を組み付け、さらに枠体の上面に屋根材６ａを敷設してなる屋根パネルを棟方向に複数接続することによって形成されている。
【００２３】
また、延出屋根６の先端部、つまり軒先部には軒先ユニット８が設けられている。この軒先ユニット８は以下のように構成されている。すなわち、図４に示すように、延出屋根ユニット８の先端部には、結合桁９が延出屋根８の軒先の長手方向に沿って取り付けられており、この結合桁９の前面には軒樋１０が取り付けられている。
また、結合桁９の下面には支持部材１１が取り付けられ、この支持部材１１によって軒天材１２の先端部が支持されている。この軒天材１２は耐火材によって形成されている。また、延出屋根６の先端部には、２本の吊材１３，１４の上端部が取り付けられており、これら吊材１３，１４の下端部には、軒天材１２の裏面に固定された野縁１２ａ，１２ｂがそれぞれ取り付けられている。このような軒先ユニット８を構成する部品は、予め工場等で製造されており、ユニット式建物１において、屋根の敷設が終了した後に、屋根の軒先部に取り付けられ、これによって、屋根の軒先部が形成される。
【００２４】
前記延出屋根６の軒先部は、構造体Ｋによって支持されている。構造体Ｋは、本実施の形態では、本屋根５より外側に位置する建物ユニット２であり、その上面には鉄骨のフレームを矩形枠状に組み立ててなる小屋パネル１５が設置固定されている。この小屋パネル１５は、それが設置される建物ユニット２と平面形状がほぼ一致している。小屋パネル１５の先端部、つまり、本屋根５より外側に位置する建物ユニット２の外周側における小屋パネル１５の先端部には、支持部１６が設けられおり、この支持部１６によって延出屋根８の軒先部が支持されている。
【００２５】
支持部１６は、複数の束部材１７・・・によって構成されている。これら束部材１７・・・は、小屋パネル１５の先端部に軒方向に所定間隔で立設されたものであり、その上端部にはブラケト１７ａが取り付けられている。そして、このブラケット１７ａに延出屋根６を構成する複数の屋根パネルをボルトによって取り付けることによって、延出屋根６の軒先部が束部材１７・・・によって支持されている。また、これら束部材１７・・・は連結フレーム１８によって互いに連結されるとともに、隣り合う束部材１７，１７どうしはＸ字状に配置されたブレース材１９によって連結されている。このように、支持部１６を構成する複数の束部材１７・・・は互いに連結フレーム１８やブレース材１９によって連結されているので、延出屋根６の軒先部を安定的かつ強固に支持できる。
【００２６】
さらに、前記小屋パネル１５には、束部材１７・・・より内側において、複数の束部材２０が立設されている。この束部材２０は、束部材１７より長尺なものであり、その上端部には、ブラケト２０ａが取り付けられている。そして、このブラケット２０ａに延出屋根６を構成する複数の屋根パネルをボルトによって取り付けることによって、延出屋根６の中間部が束部材２０・・・によって支持されている。
【００２７】
また、前記本屋根５の先端部の下方に位置する屋根ユニット２と、前記構造体Ｋとは延出屋根６と同方向に傾斜する傾斜フレーム２１によって連結されている。
すなわち、傾斜フレーム２１は、延出屋根６の直下でかつ左右端部側にそれぞれ配置されており、その上端部には短い水平フレーム２１ａが設けられている。この水平フレーム２１ａの端部には、図３に示すように、水平板２２ａと垂直板２２ｂを備えた連結板２２が設けられており、この連結板２２はその水平板２２ａと垂直板２２ｂとをそれぞれ本屋根５の先端部の下方に位置する建物ユニット２の柱の上面と側面に当接したうえで、この建物ユニット２にボルトによって連結されている。
【００２８】
一方、傾斜フレーム２１，２１の下端部は、図４に示すように、左右両端部側に位置する束部材１７，１７の上端部に設けられたブラケット１７ｂ，１７ｂにボルトによって取り付けられている。束部材１７ｂ，１７ｂは、小屋パネル１５を介して構造体（建物ユニット２）Ｋに取り付けられているので、傾斜フレーム２１の下端部は構造体Ｋの上端部に連結されていることになる。したがって、本屋根５の先端部の下方に位置する屋根ユニット２と、前記構造体Ｋとは延出屋根６と同方向に傾斜する傾斜フレーム２１によって連結されている。
また、前記延出屋根６の中間部を支持する束部材２０うち、左右両端部側に位置する束部材２０，２０の上端部は、傾斜フレーム２１にそれぞれブラケット２０ｂ，２０ｂを介してボルトによって連結されている。
【００２９】
このように、本屋根５の先端部の下方に位置する屋根ユニット２と、構造体Ｋとは傾斜フレーム２１によって連結され、さらに、傾斜フレーム２１は束部材２０に連結されているので、延出屋根６を本屋根５の先端部に容易かつ確実に接合して、本屋根との一体化を容易に行える。
また、傾斜フレーム２１の端部に設けられた連結板２２は、その水平板２２ａと垂直板２２ｂとをそれぞれ本屋根５の先端部の下方に位置する建物ユニット２の柱の上面と側面に当接したうえで、この柱に連結されているので、傾斜フレーム２１の端部を容易かつ確実に建物ユニット２に連結できる。
【００３０】
また、前記傾斜フレーム２１には、図２に示すように、複数のブラケット２１ｂ・・・が所定間隔で複数取り付けられており、一方、小屋パネル１５には、ブラケット２１ｂ・・・の下方位置に対応して複数のブラケット１５ｂが設けられている。
これらブラケット２１ｂ，１５ｂには、ユニット式建物１の妻壁を構成する外壁パネルが取り付けられるようになっている。
また、図４に示すように、小屋パネル１５の先端部と、前記連結フレーム１８には、ブラケット２５ａ，２５ｂを介して上部外壁パネル２６が取り付けられており、この上部外壁パネル２６の上端部は、軒天材８より上方に挿入されている。また、構造体Ｋである建物ユニット２の外面には、外壁パネル２７が前記外壁パネル２６とほぼ面一になるようにして取り付けられている。
【００３１】
本実施の形態によれば、ユニット式建物１の本屋根５の先端部から、該本屋根５の傾斜方向に沿って延出するようにして設けられた延出屋根６の軒先部が、ユニット式建物１の本屋根２より外側に位置する構造体Ｋによって支持されているので、多種類の台形ユニットや屋根ユニットを用意することなく、延出屋根６の長さを調整することによって、本屋根５の長さ（棟から軒までの長さ）を容易に長くすることができる。この延出屋根６の下方には、居室、収納、パティオ等を自由に配置できる。
また、図１（ｂ）に示すように、構造体Ｋの横にさらに構造体Ｋ２を軸組み等によって形成した場合でも、延出屋根６をさらに延出することによって、本屋根５の長さ（棟から軒までの長さ）を容易に長くすることができる。
さらに、延出屋根６の軒先部にある軒先ユニット８は共通化できるので、延出屋根６の長さを自由に設定しても、軒先ユニット８は同じものを使用できる。
なお、本実施の形態では、延出屋根６の軒先部を支持する構造体Ｋは、ユニット式建物１を構成する建物ユニット２としたが、これに限らず、構造体Ｋは現場で軸組みによって形成してもよいし、建物ユニット２と軸組みによる複合体で構成してもよい。
【図面の簡単な説明】
【００３２】
【図１】本発明に係る屋根構造を備えたユニット式建物の概略構成を示す図である。
【図２】本発明に係るユニット式建物の屋根構造の一例を示すもので、その側面図である。
【図３】同、本屋根と延出屋根との接合部を示す側面図である。
【図４】同、延出屋根の軒先部を示す側面図である。
【図５】図２におけるA−A線視断面図である。
【符号の説明】
【００３３】
１  ユニット式建物
２  建物ユニット
５  本屋根
６  延出屋根
１６  支持部
１７  束部材
２１  傾斜フレーム
２２  連結板
２２a  水平板
２２ｂ  垂直板
K  構造体
【図１】
2005307630.tif 000003
【図２】
2005307630.tif 000004
【図３】
2005307630.tif 000005
【図４】
2005307630.tif 000006
【図５】
2005307630.tif 000007